(57)【要約】【課題】海水取水路内に海水を張る際の安全性を図ることができる角落しを提供する。【解決手段】右および左導水管１４Ｒ，１４Ｌが上段角落し扉体１１の上端部に表面から裏面まで貫通するように設けられており、右および左水張り用ゲート２０Ｒ，２０Ｌが上段角落し扉体１１の表面に取り付けられており、右および左シーブ３０Ｒ，３０Ｌが上段角落し扉体１１の表面の右および左水張り用ゲート２０Ｒ，２０Ｌの下方に取り付けられている。右および左水張り用ゲート２０Ｒ，２０Ｌは、一端部が右および左扉体２１Ｒ，２１Ｌの上端部に取り付けられた右および左ゲート開用ワイヤー２３Ｒ，２３Ｌと、右および左シーブ３０Ｒ，３０Ｌに通されるとともに一端部が右および左扉体２１Ｒ，２１Ｌの下端部に取り付けられた右および左ゲート閉用ワイヤー２４Ｒ，２４Ｌとを備える。【選択図】図１
2020060001.tif 000002
【特許請求の範囲】
【請求項１】
海水取水路内に取り入れる海水を堰き止めるための角落しであって、
上端部に導水管が表面から裏面まで貫通するように設けられた角落し扉体と、
前記角落し扉体の表面の上端部に取り付けられた、かつ、前記導水管の入口側開口を完全に露出させたり完全に塞いだりするための扉体を備えた水張り用ゲートと、
前記角落し扉体の表面の上端部の前記水張り用ゲートの下方に取り付けられたシーブとを具備し、
前記水張り用ゲートが、
一端部が前記扉体の上端部に取り付けられた、かつ、前記扉体を引き上げて前記導水管の前記入口側開口を完全に露出させるためのゲート開用ワイヤーと、
前記シーブに通されるとともに一端部が前記扉体の下端部に取り付けられた、かつ、前記扉体を引き下げて前記導水管の前記入口側開口を完全に塞ぐためのゲート閉用ワイヤーとを備える、
ことを特徴とする、角落し。
【請求項２】
前記導水管が、前記角落しで海水を堰き止めたときに通常時の海面水位よりも低くなる位置に設けられていることを特徴とする、請求項１記載の角落し。
【請求項３】
前記水張り用ゲートが、
矩形板状の前記扉体と、
前記扉体を挟んで互いに対向するように前記角落し扉体に取り付けられた一対のガイドとをさらに備え、
前記ゲート開用ワイヤーの他端部が引き上げられると、前記扉体が前記一対のガイドに案内されて引き上げられて、前記導水管の前記入口側開口が完全に露出され、
前記ゲート閉用ワイヤーの他端部が引き上げられると、前記ゲート閉用ワイヤーの前記一端部が前記シーブによって引き下げられることにより前記扉体が前記一対のガイドに案内されて引き下げられて、前記導水管の前記入口側開口が完全に塞がれる、
ことを特徴とする、請求項１または２記載の角落し。
【請求項４】
前記導水管の径が、前記入口側開口を完全に露出させたときに前記海水取水路内への水張りが１２時間程度でできる大きさとされていることを特徴とする、請求項１乃至３いずれかに記載の角落し。
【請求項５】
前記角落し（１０）が、前記角落し扉体が上段角落し扉体（１１）、中段角落し扉体（１２）および下段角落し扉体（１３）の３つの分割された三分割式のものであり、
前記導水管が、前記上段角落し扉体の上端部に表面から裏面まで貫通するように設けられており、
前記水張り用ゲートが、前記上段角落し扉体の表面に取り付けられており、
前記シーブ（３０Ｒ，３０Ｌ）が、前記上段角落し扉体の表面の前記水張り用ゲートの下方に取り付けられている、
ことを特徴とする、請求項１乃至４いずれかに記載の角落し。
【請求項６】
前記導水管として、前記上段角落し扉体に表面から裏面まで貫通するように設けられた右および左導水管（１４Ｒ，１４Ｌ）を備え、
前記水張り用ゲートとして、前記上段角落し扉体の表面に取り付けられた右および左水張り用ゲート（２０Ｒ，２０Ｌ）を備え、
前記シーブとして、前記上段角落し扉体の表面の前記右および左水張り用ゲートの下方にそれぞれ取り付けられた右および左シーブ（３０Ｒ，３０Ｌ）を備える、
ことを特徴とする、請求項５記載の角落し。
【請求項７】
前記右および左水張り用ゲートが、
矩形板状の前記右および左扉体（２１Ｒ，２１Ｌ）と、
前記右および左扉体を挟んで互いに対向するように前記上段角落し扉体に取り付けられた一対の右および左ガイド（２２Ｒ，２２Ｌ）と、
一端部が前記右および左扉体の上端部に取り付けられた、かつ、前記右および左扉体を引き上げて前記右および左導水管の入口側開口を完全にそれぞれ露出させるための右および左ゲート開用ワイヤー（２３Ｒ，２３Ｌ）と、
前記右および左シーブに通されるとともに一端部が前記右および左扉体の下端部に取り付けられた、かつ、前記右および左扉体を引き下げて前記右および左導水管の前記入口側開口を完全にそれぞれ塞ぐための右および左ゲート閉用ワイヤー（２４Ｒ，２４Ｌ）とを備える、
ことを特徴とする、請求項６記載の角落し。
【請求項８】
前記右および左導水管の径が、両方の前記入口側開口を完全に露出させたときに前記海水取水路内への水張りが１２時間程度でできる大きさとされていることを特徴とする、請求項６または７記載の角落し。
【発明の詳細な説明】
【技術分野】
【０００１】
本発明は、火力発電所等の海水取水路で使用するのに好適な角落しに関する。
【背景技術】
【０００２】
火力発電所や原子力発電所では、冷却用の海水を取り入れるための海水取水路が敷設されている。
【０００３】
海水取水路では、通常時には角落し（海水止水板）をクレーン操作によって吊り上げて海水取水口ゲートから引き抜いて海水を取り入れており、一方、海水取水路の点検や清掃等を行う際には角落しをクレーン操作によって吊り下げて海水取水口ゲートに挿入して海水を堰き止めている。
【０００４】
また、海水取水路の点検や清掃等の完了後には水張りのために角落しを引き抜いて海水取水口ゲートを開放するが、海水を堰き止めた状態では角落しの表裏両面の差圧により角落しを容易には吊り上げられない。
【０００５】
そこで、海水取水路の点検や清掃等の完了後の初期の水張りは、角落しを僅かに引き抜いて海水取水路内に海水を張っていき角落しの表裏両面の差圧をなくしてから、角落し全体を引き抜くようにしている。
【０００６】
なお、下記の特許文献１には、複数段の角落しのうちの最下段の角落しに、堰き止められた水を流出するための流出口を形成するとともに流出口を開閉できる水張り用ゲート（閉塞部材）を設けた、角落しの構造が開示されている。
【先行技術文献】
【特許文献】
【０００７】
【特許文献１】特開平１１−１５８８４６号公報
【発明の概要】
【発明が解決しようとする課題】
【０００８】
しかしながら、角落しを僅かに引き抜いた状態では海水取水路内に海水を張るのに１日程度を要するため、角落しをクレーンで僅かに吊り上げた状態を１日間保持し続ける必要があり、安全上の問題があった。
【０００９】
なお、上記の特許文献１に開示された角落しの構造は、下水道施設や農業用水路施設等の水路を堰止める際に使用することを前提に、複数段の角落しのうちの最下段の角落しに設けられた水張り用ゲートを開いて水を流出させることにより、水張り用ゲートを含めた角落し全体に水圧が作用していない状態（角落し全体が空気中に露出した状態または角落しの下端付近のみが浸水した状態）で適宜吊り上げられるようにしたものであるため、海水を張ったときに水張り用ゲートを含めた角落し全体に水圧が作用している状態（角落し全体が浸水した状態）となる海水取水路に使用する角落しには適用が難しいという問題がある。
【００１０】
本発明の目的は、海水取水路内に海水を張る際の安全性を図ることができる角落しを提供することにある。
【課題を解決するための手段】
【００１１】
本発明の角落しは、海水取水路内に取り入れる海水を堰き止めるための角落しであって、上端部に導水管が表面から裏面まで貫通するように設けられた角落し扉体と、前記角落し扉体の表面の上端部に取り付けられた、かつ、前記導水管の入口側開口を完全に露出させたり完全に塞いだりするための扉体を備えた水張り用ゲートと、前記角落し扉体の表面の上端部の前記水張り用ゲートの下方に取り付けられたシーブとを具備し、前記水張り用ゲートが、一端部が前記扉体の上端部に取り付けられた、かつ、前記扉体を引き上げて前記導水管の前記入口側開口を完全に露出させるためのゲート開用ワイヤーと、前記シーブに通されるとともに一端部が前記扉体の下端部に取り付けられた、かつ、前記扉体を引き下げて前記導水管の前記入口側開口を完全に塞ぐためのゲート閉用ワイヤーとを備えることを特徴とする。
ここで、前記導水管が、前記角落しで海水を堰き止めたときに通常時の海面水位よりも低くなる位置に設けられていてもよい。
前記水張り用ゲートが、矩形板状の前記扉体と、前記扉体を挟んで互いに対向するように前記角落し扉体に取り付けられた一対のガイドとをさらに備え、前記ゲート開用ワイヤーの他端部が引き上げられると、前記扉体が前記一対のガイドに案内されて引き上げられて、前記導水管の前記入口側開口が完全に露出され、前記ゲート閉用ワイヤーの他端部が引き上げられると、前記ゲート閉用ワイヤーの前記一端部が前記シーブによって引き下げられることにより前記扉体が前記一対のガイドに案内されて引き下げられて、前記導水管の前記入口側開口が完全に塞がれてもよい。
前記導水管の径が、前記入口側開口を完全に露出させたときに前記海水取水路内への水張りが１２時間程度でできる大きさとされていてもよい。
前記角落し（１０）が、前記角落し扉体が上段角落し扉体（１１）、中段角落し扉体（１２）および下段角落し扉体（１３）の３つの分割された三分割式のものであり、前記導水管が、前記上段角落し扉体の上端部に表面から裏面まで貫通するように設けられており、前記水張り用ゲートが、前記上段角落し扉体の表面に取り付けられており、前記シーブ（３０Ｒ，３０Ｌ）が、前記上段角落し扉体の表面の前記水張り用ゲートの下方に取り付けられていてもよい。
前記導水管として、前記上段角落し扉体に表面から裏面まで貫通するように設けられた右および左導水管（１４Ｒ，１４Ｌ）を備え、前記水張り用ゲートとして、前記上段角落し扉体の表面に取り付けられた右および左水張り用ゲート（２０Ｒ，２０Ｌ）を備え、前記シーブとして、前記上段角落し扉体の表面の前記右および左水張り用ゲートの下方にそれぞれ取り付けられた右および左シーブ（３０Ｒ，３０Ｌ）を備えてもよい。
前記右および左水張り用ゲートが、矩形板状の前記右および左扉体（２１Ｒ，２１Ｌ）と、前記右および左扉体を挟んで互いに対向するように前記上段角落し扉体に取り付けられた一対の右および左ガイド（２２Ｒ，２２Ｌ）と、一端部が前記右および左扉体の上端部に取り付けられた、かつ、前記右および左扉体を引き上げて前記右および左導水管の入口側開口を完全にそれぞれ露出させるための右および左ゲート開用ワイヤー（２３Ｒ，２３Ｌ）と、前記右および左シーブに通されるとともに一端部が前記右および左扉体の下端部に取り付けられた、かつ、前記右および左扉体を引き下げて前記右および左導水管の前記入口側開口を完全にそれぞれ塞ぐための右および左ゲート閉用ワイヤー（２４Ｒ，２４Ｌ）とを備えてもよい。
前記右および左導水管の径が、両方の前記入口側開口を完全に露出させたときに前記海水取水路内への水張りが１２時間程度でできる大きさとされていてもよい。
【発明の効果】
【００１２】
本発明の角落しは、以下に示す効果を奏する。
（１）ゲート開用ワイヤーを引き上げて水張り用ゲートを開いて導水管の入口側開口を完全に露出させることにより、角落しを吊り上げなくても海水取水路内に海水を張れるため、海水取水路内に海水を張る際の安全性を図ることができる。
（２）水張り用ゲートが海水中であってもゲート閉用ワイヤーを引き上げれば水張り用ゲート閉じることができるため、導水管の入口側開口を完全に塞いだのちに角落しを引き抜くことができる。
【図面の簡単な説明】
【００１３】
【図１】本発明の一実施例による角落し１０について説明するための図であり、（ａ）は角落し１０の構成を示す正面図であり、（ｂ）は右扉体２１Ｒを閉じたときの右水張り用ゲート２０Ｒの状態を示す正面図であり、（ｃ）は右扉体２１Ｒを開いたときの右水張り用ゲート２０Ｒの状態を示す正面図である。
【図２】本発明の変形例による角落し５０の構成を示す正面図である。
【発明を実施するための形態】
【００１４】
上記の目的を、角落し扉体の上端部に導水管を設け、ゲート開用ワイヤーを引き上げれば水張り用ゲートを開いて導水管の入口側開口を完全に露出させられるとともに、シーブに通したゲート閉用ワイヤーを引き上げれば水張り用ゲートを閉じて導水管の入口側開口を完全に塞げられるようにすることにより実現した。
【実施例１】
【００１５】
以下、本発明の角落しの実施例について図面を参照して説明する。
本発明の角落しは、以下の特徴を有する。
（１）海水取水路内への水張りは１２時間程度要しても問題ないことを鑑みて、角落し扉体の上端部に導水管を設け、ゲート開用ワイヤーで水張り用ゲートを開いて導水管から海水取水路内に海水を１２時間程度かけて張っていき、角落しの表裏両面の差圧をなくしたのちに角落しを引き抜く。
（２）シーブに通したゲート閉用ワイヤーを引き上げて水張り用ゲートを閉じて導水管の入口側開口を完全に塞ぐことにより、水圧が作用していても水張り用ゲートを完全に閉じられるようにする。
【００１６】
本発明の一実施例による角落し１０は、図１（ａ）に示すように、角落し扉体が上段角落し扉体１１、中段角落し扉体１２および下段角落し扉体１３の３つの分割された三分割式のものである。
なお、上段角落し扉体１１、中段角落し扉体１２および下段角落し扉体１３は、横５ｍ×縦４．８ｍ程度の矩形板状のものである。
【００１７】
上段角落し扉体１１の右および左端部には、円筒状の右および左導水管１４Ｒ，１４Ｌが、角落し１０で海水を堰き止めたときに通常時の海面水位（潮位）よりも低くなる位置に、上段角落し扉体１１の表面から裏面まで貫通するように設けられている。
また、右および左導水管１４Ｒ，１４Ｌの径は、右および左導水管１４Ｒ，１４Ｌの入口側開口の両方を完全に露出させたときに海水取水路内への水張りが１２時間程度でできる大きさ（例えば、２０ｃｍ程度）とされている。
【００１８】
上段角落し扉体１１の上面には、クレーン操作で上段角落し扉体１１を吊り上げたり吊下げたりするための一対の吊金具１５が取り付けられている。
なお、図示はしていないが、中段角落し扉体１２および下段角落し扉体１３の上面にも、クレーン操作で中段角落し扉体１２および下段角落し扉体１３を吊り上げたり吊下げたりするための一対の吊金具が取り付けられている。
【００１９】
上段角落し扉体１１の表面の右および左端部には、右および左水張り用ゲート２０Ｒ，２０Ｌが取り付けられているとともに、右および左シーブ３０Ｒ，３０Ｌが右および左水張り用ゲート２０Ｒ，２０Ｌの下方に取り付けられている。
【００２０】
右水張り用ゲート２０Ｒは、図１（ｂ）に示すように、横２５ｃｍ×縦２５ｃｍ程度の矩形板状の右扉体２１Ｒ（重量が１トン程度）と、右扉体２１Ｒを挟んで互いに対向するように上段角落し扉体１１に取り付けられた一対の右ガイド２２Ｒと、右ゲート開用ワイヤー２３Ｒと、右ゲート閉用ワイヤー２４Ｒとを備える。
【００２１】
右扉体２１Ｒの上端中央部には、右ゲート開用ワイヤー２３Ｒの一端部を取り付けるための右上側ワイヤー取付部材２１ａＲが固定されている。
また、右扉体２１Ｒの下端中央部には、右ゲート閉用ワイヤー２４Ｒの一端を取り付けるための右下側ワイヤー取付部材２１ｂＲが固定されている。
【００２２】
一対の右ガイド２２Ｒは、上側ストッパまで右ゲート開用ワイヤー２３Ｒで引き上げて右扉体２１Ｒを開いた状態では右導水管１４Ｒの入口側開口を完全に露出させるとともに下側ストッパまで右ゲート閉用ワイヤー２４Ｒで引き下げて右扉体２１Ｒを閉じた状態では右導水管１４Ｒの入口側開口を完全に塞ぐような長さとされている。
また、一対の右ガイド２２Ｒの互いに対向する側面には、右扉体２１Ｒの両端部がそれぞれ差し込まれる右ガイド溝が形成されている。
【００２３】
右ゲート閉用ワイヤー２４Ｒは、右シーブ３０Ｒを通されることによって下向きから上向きに方向が変えられるようにされている。
【００２４】
これにより、右ゲート開用ワイヤー２３Ｒの他端部をレバーブロック（登録商標）に取り付けて右ゲート開用ワイヤー２３Ｒを引き上げると、右扉体２１Ｒが一対の右ガイド２２Ｒに案内されて上側ストッパまで引き上げられるため、右導水管１４Ｒの入口側開口を完全に露出させることができる（図１（ｃ）参照）。
また、右ゲート閉用ワイヤー２４Ｒの他端部をレバーブロック（登録商標）に取り付けて右ゲート閉用ワイヤー２４Ｒを引き上げると、右扉体２１Ｒが一対の右ガイド２２Ｒに案内されて下側ストッパまで引き下げられるため、右導水管１４Ｒの入口側開口を完全に塞ぐことができる（図１（ｂ）参照）。
【００２５】
同様に、図示していないが、左水張り用ゲート２０Ｌは、横２５ｃｍ×縦２５ｃｍ程度の矩形板状の左扉体２１Ｌ（重量が１トン程度）と、左扉体２１Ｌを挟んで互いに対向するように角落し扉体１１に取り付けられた一対の左ガイド２２Ｌと、左ゲート開用ワイヤー２３Ｌと、左ゲート閉用ワイヤー２４Ｌとを備える。
【００２６】
左扉体２１Ｌの上端中央部には、左ゲート開用ワイヤー２３Ｌの一端部を取り付けるための左上側ワイヤー取付部材２１ａＬが固定されている。
また、左扉体２１Ｌの下端中央部には、左ゲート閉用ワイヤー２４Ｌの一端を取り付けるための左下側ワイヤー取付部材２１ｂＬが固定されている。
【００２７】
一対の左ガイド２２Ｌは、上側ストッパまで左ゲート開用ワイヤー２３Ｌで引き上げて左扉体２１Ｌを開いた状態では左導水管１４Ｌの入口側開口を完全に露出させるとともに下側ストッパまで左ゲート閉用ワイヤー２４Ｌで引き下げて左扉体２１Ｌを閉じた状態では左導水管１４Ｌの入口側開口を完全に塞ぐような長さとされている。
また、一対の左ガイド２２Ｌの互いに対向する側面には、左扉体２１Ｌの両端部がそれぞれ差し込まれる左ガイド溝が形成されている。
【００２８】
左ゲート閉用ワイヤー２４Ｌは、左シーブ３０Ｌを通されることによって下向きから上向きに方向が変えられるようにされている。
【００２９】
これにより、左ゲート開用ワイヤー２３Ｌの他端部をレバーブロック（登録商標）に取り付けて左ゲート開用ワイヤー２３Ｌを引き上げると、左扉体２１Ｌが一対の左ガイド２２Ｌに案内されて上側ストッパまで引き上げられるため、左導水管１４Ｌの入口側開口を完全に露出させることができる。
また、左ゲート閉用ワイヤー２４Ｌの他端部をレバーブロック（登録商標）に取り付けて左ゲート閉用ワイヤー２４Ｌを引き上げると、左扉体２１Ｌが一対の左ガイド２２Ｌに案内されて下側ストッパまで引き下げられるため、左導水管１４Ｌの入口側開口を完全に塞ぐことができる。
【００３０】
次に、角落し１０の使用方法について説明する。
海水取水路の点検や清掃等を行うために海水を堰き止める際には、作業員は、下段角落し扉１３、中段角落し扉１２および上段角落し扉１１の順にクレーン操作によって吊り下げて海水取水口ゲートに挿入していく。
【００３１】
このとき、上段角落し扉１１は右および左水張り用ゲート２０Ｒ，２０Ｌの右および左扉体２１Ｒ，２１Ｌを完全に閉じて挿入していくが、途中で右または左ゲート開用ワイヤー２３Ｒ，２３Ｌが何かに引っ掛って右または左扉体２１Ｒ，２１Ｌが上方に引っ張られて右または左扉体２１Ｒ，２１Ｌが僅かでも開くと、海水が右または左扉体２１Ｒ，２１Ｌを通って海水取水路に漏れ出してしまう。
しかし、作業員は、海水が右または左扉体２１Ｒ，２１Ｌを通って海水取水路に漏れ出していることに気づいた時点で、右または左ゲート閉用ワイヤー２４Ｒ，２４Ｌの他端部をレバーブロック（登録商標）に取り付けて右または左ゲート閉用ワイヤー２４Ｒ，２４Ｌを引き上げて、右または左扉体２１Ｒ，２１Ｌを完全に閉じることにより、海水の漏れ出しを止めることができる。
なお、上記の特許文献１に開示された角落しの構造では、海水取水路に使用する場合には、右および左ゲート閉用ワイヤー２４Ｒ，２４Ｌを備えておらず、また、右および左扉体２１Ｒ，２１Ｌは海水によって上段角落し扉１１側に押圧されていることから自重では落下しないため、作業員が海中で右または左扉体２１Ｒ，２１Ｌを完全に閉じなければならないという問題がある。
【００３２】
その後、海水取水路の点検や清掃等が完了すると、作業員は、右および左ゲート開用ワイヤー２３Ｒ，２３Ｌの他端部をレバーブロック（登録商標）に順に取り付けて右および左ゲート開用ワイヤー２３Ｒ，２３Ｌを引き上げて、右および左扉体２１Ｒ，２１Ｌを完全に開くことにより、海水取水路内に海水を１２時間程度かけて張っていく。
【００３３】
その後、作業員は、上段角落し扉１１、中段角落し扉１２および下段角落し扉１３の順にクレーン操作によって吊り上げて海水取水口ゲートから引き抜いていく。
【００３４】
このとき、作業員は、右および左ゲート閉用ワイヤー２４Ｒ，２４Ｌの他端部をレバーブロック（登録商標）に順に取り付けて右および左ゲート閉用ワイヤー２４Ｒ，２４Ｌを引き上げて右および左扉体２１Ｒ，２１Ｌを完全に閉じたのち、上段角落し扉１１を引き抜いていく。
これにより、右および左扉体２１Ｒ，２１Ｌが完全に開いたまま上段角落し扉１１を引き抜いていくと、右および左扉体２１Ｒ，２１Ｌは海中にあるときには海水によって上段角落し扉１１側に押圧されているため開いたままとなるので海中から出ると自重で落下してしまい傷付いたりするおそれがあるが、これを防止することができる。
なお、上記の特許文献１に開示された角落しの構造では、水張り用ゲートに水圧が作用していない状態（すなわち、空気中）で複数段の角落しを適宜吊り上げていくため、最下段の角落しに取り付けられた水張り用ゲートは自重で落下して必ず閉じるので、水張り用ゲートが完全に開いたまま最下段の角落しを吊り上げていくことは想定しなくてよいものである。
【００３５】
また、右および左水張り用ゲート２０Ｒ，２０Ｌは上段角落し扉１１に取り付けられているため、右および左ゲート開用ワイヤー２３Ｒ，２３Ｌと右および左ゲート閉用ワイヤー２４Ｒ，２４Ｌとが中段角落し扉１２および下段角落し扉１３を引き抜く際に邪魔になることはない。
なお、上記の特許文献１に開示された角落しの構造では、右および左水張り用ゲート２０Ｒ，２０Ｌを下段角落し扉１３に取り付けることになるため、右および左ゲート開用ワイヤー２３Ｒ，２３Ｌと右および左ゲート閉用ワイヤー２４Ｒ，２４Ｌとが上段角落し扉１１および中段角落し扉１２を引き抜く際に邪魔になるという問題がある。
【００３６】
以上では、三分割式の角落し１０について説明したが、図２に示す角落し５０のように、上面に一対の吊金具５３が取り付けられた矩形板状の角落し扉体５１を具備し、角落し扉体５１の右および左上端部に円筒状の右および左導水管５２Ｒ，５２Ｌを角落し扉体５１の表面から裏面まで貫通するように設けるとともに、角落し扉体５１の表面の右および左上端部に右および左水張りゲート２０Ｒ，２０Ｌと右および左シーブ３０Ｒ，３０Ｌとを取り付けてもよい。
【００３７】
また、１個の導水管で海水取水路内への水張りが１２時間程度でできる規模の海水取水路では、上段角落し扉体１１の中央部または角落し扉体５１の上端中央部に導水管を設けるとともに、上段角落し扉体１１の表面の中央部または角落し扉体５１の表面の上端中央部に水張りゲートおよびシーブを取り付けるようにしてもよい。
【符号の説明】
【００３８】
１０  角落し
１１  上段角落し扉体
１２  中段角落し扉体
１３  下段角落し扉体
１４Ｒ，１４Ｌ  右および左導水管
１５  吊金具
２０Ｒ，２０Ｌ  右および左水張り用ゲート
２１Ｒ，２１Ｌ  右および左扉体
２１ａＲ，２１ａＬ  右および左上側ワイヤー取付部材
２１ｂＲ，２１ｂＬ  右および左下側ワイヤー取付部材
２２Ｒ，２２Ｌ  右および左ガイド
２３Ｒ，２３Ｌ  右および左ゲート開用ワイヤー
２４Ｒ，２４Ｌ  右および左ゲート閉用ワイヤー
３０Ｒ，３０Ｌ  右および左シーブ
５０  角落し
５１  角落し扉体
５２Ｒ，５２Ｌ  右および左導水管
５３  吊金具
【図１】
2020060001.tif 000003
【図２】
2020060001.tif 000004